(57)【要約】【課題】表示装置に通電することなく、表示装置に衝撃が加えられているか否かを確認できる表示装置を提供する。【解決手段】表示装置１０は、表示部１００と、枠体１１０とを備える。枠体１１０は、表示部１００の周縁を囲む。表示部１００は矩形形状を有する。枠体１１０は、第１側面１１１と、複数の第１突起部１２１とを有する。複数の第１突起部１２１は、表示部１００から離れるように、枠体１１０の第１側面１１１から突出する。【選択図】図２
2018180210.tif 000002
【特許請求の範囲】
【請求項１】
表示部と、
前記表示部の周縁を囲む枠体と
を備え、
前記枠体は、第１側面と、複数の第１突起部とを有し、
前記複数の第１突起部は、前記表示部から離れるように前記枠体の前記第１側面から突出する、表示装置。
【請求項２】
前記表示部は矩形形状を有し、
前記枠体は、
前記第１側面に垂直な第２側面と、
前記第２側面に垂直な第３側面と、
前記第３側面及び前記第１側面に垂直な第４側面と、
第２突起部と、
第３突起部と、
第４突起部と
を有し、
前記第２突起部は、前記表示部から離れるように前記枠体の前記第２側面から突出し、
前記第３突起部は、前記表示部から離れるように前記枠体の前記第３側面から突出し、
前記第４突起部は、前記表示部から離れるように前記枠体の前記第４側面から突出する、請求項１に記載の表示装置。
【請求項３】
前記枠体は、
前記第１側面、前記第２側面、前記第３側面及び前記第４側面の各々に垂直な底面と、
第５突起部と
を有し、
前記第５突起部は、前記表示部から離れるように前記枠体の前記底面から突出する、請求項２に記載の表示装置。
【請求項４】
前記複数の第１突起部の各々の先端は尖っている、請求項１から請求項３のいずれか１項に記載の表示装置。
【請求項５】
前記複数の第１突起部の各々は円錐形状又は三角柱形状を有する、請求項１から請求項４のいずれか１項に記載の表示装置。
【請求項６】
前記複数の第１突起部のうち、隣り合う第１突起部の間には、充填材が充填されている、請求項１から請求項５のいずれか１項に記載の表示装置。
【請求項７】
請求項１から請求項６のいずれか１項に記載の表示装置と、
シートに画像を形成する画像形成部と
を備える、画像形成装置。
【発明の詳細な説明】
【技術分野】
【０００１】
本発明は、表示装置及び画像形成装置に関する。
【背景技術】
【０００２】
従来、表示装置に外部からの衝撃が加えられた場合、表示装置が破損してしまう場合があった。例えば、表示装置が破損すると、表示装置に亀裂が発生する場合があった。
【先行技術文献】
【特許文献】
【０００３】
【特許文献１】特開２０１６−１８０９９４号公報
【発明の概要】
【発明が解決しようとする課題】
【０００４】
しかしながら、従来の表示装置では、表示装置に通電する前に、表示装置に亀裂が発生しているか否かがわからなかった。例えば、特許文献１に記載された表示装置では、表示装置が画像形成装置に取り付けられて表示装置に通電した後でなければ、表示装置に亀裂が発生したか否かを確認できなかった。
【０００５】
本発明は上記課題に鑑みてなされたものであり、その目的は、表示装置に通電することなく、表示装置に衝撃が加えられているか否かを確認できる表示装置及び画像形成装置を提供することにある。
【課題を解決するための手段】
【０００６】
本発明の第１の観点によれば、表示装置は、表示部と、枠体とを備える。枠体は、前記表示部の周縁を囲む。前記枠体は、第１側面と、複数の第１突起部とを有する。前記複数の第１突起部は、前記表示部から離れるように前記枠体の前記第１側面から突出する。
【０００７】
本発明の第２の観点によれば、画像形成装置は、本発明の第１の観点に係る表示装置と、画像形成部とを備える。画像形成部は、シートに画像を形成する。
【発明の効果】
【０００８】
本発明によれば、表示装置に通電することなく、表示装置に衝撃が加えられているか否かを確認できる。
【図面の簡単な説明】
【０００９】
【図１】本発明の実施形態１に係る画像形成装置を示す図である。
【図２】実施形態１に係る表示装置を示す図である。
【図３】（ａ）は、実施形態１に係る三角柱状を有する第１突起部を示す図である。（ｂ）は、実施形態１に係る円錐形状を有する第１突起部を示す図である。
【図４】（ａ）は、実施形態１に係る三角柱状を有する第５突起部を示す図である。（ｂ）は、実施形態１に係る円錐形状を有する第５突起部を示す図である。
【図５】実施形態２に係る表示装置を示す図である。
【発明を実施するための形態】
【００１０】
以下、図面を参照して本発明の実施形態を説明する。ただし、本発明は以下の実施形態に限定されない。図中、同一又は相当部分については同一の参照符号を付して説明を繰り返さない。また、本明細書において、三次元直交座標系のＸ軸およびＹ軸は水平線に平行であり、Ｚ軸は鉛直線に平行である。Ｚ軸の正方向は、重力方向と反対方向であり、上方向を示し、Ｚ軸の負方向は、重力方向であり、下方向を示す。
【００１１】
（実施形態１）
まず、図１を参照して、実施形態１に係る画像形成装置１について説明する。図１は、画像形成装置１を示す図である。画像形成装置１は、表示装置１０と、画像形成部２０と、筐体３０とを備える。
【００１２】
表示装置１０は、表示部１００と、枠体１１０とを備える。表示部１００は、例えば、液晶パネル、有機エレクトロルミネッセンス（有機ＥＬ）パネル、プラズマディスプレーパネル、又はフィールドエミッションディスプレーパネルである。表示部１００は、文字、図形、操作ボタンのような画像を表示する。また、表示部１００は、タッチパネルとしても機能する場合がある。枠体１１０は、表示部１００の周縁を囲む。
【００１３】
画像形成部２０は、シートに画像を形成する。筐体３０は、表示装置１０、及び画像形成部２０を収容する。本実施形態において、筐体３０には、開孔３０ａ及び取り付け枠（図示せず）が形成されている。開孔３０ａは、取り付け枠に連通している。取り付け枠は、矩形形状を有する。表示装置１０は、開孔３０ａから表示部１００が見えるように、取り付け枠に取り付けられている。枠体１１０は、筐体３０に隠れている。ただし、表示装置１０は、開孔３０ａを介して枠体１１０が見えるように筐体３０に収容されていてもよいし、開孔３０ａを介して枠体１１０が見えないように筐体３０に収容されていてもよい。
【００１４】
次に、図２を参照して表示装置１０について説明する。図２は、表示装置１０を示す。図２に示すように、表示部１００は、矩形形状を有する。
【００１５】
枠体１１０は、例えば、金属又は樹脂で形成されている。特に、静電気の除去を考慮し、枠体１１０は、金属で形成されていることが好ましい。具体的には、例えば、枠体１１０は、スチールで形成されている。枠体１１０が金属で形成されている場合、表示部１００は、枠体１１０を介してグランドに接地されている。従って、表示部１００がタッチパネルとして機能する場合、人体からの静電気が枠体１１０を介して除去される。
【００１６】
枠体１１０は、第１側面１１１と、第２側面１１２と、第３側面１１３と、第４側面１１４とを有する。第２側面１１２は、第１側面１１１に垂直である。第３側面１１３は、第２側面１１２に垂直である。第４側面１１４は、第３側面１１３及び第１側面１１１に垂直である。第１側面１１１は、第３側面１１３に対向する。また、第２側面１１２は、第４側面１１４に対向する。
【００１７】
また、枠体１１０は、複数の第１突起部１２１と、複数の第２突起部１２２と、複数の第３突起部１２３と、複数の第４突起部１２４とをさらに有する。複数の第１突起部１２１は、表示部１００から離れるように枠体１１０の第１側面１１１から突出する。また、複数の第２突起部１２２は、表示部１００から離れるように枠体１１０の第２側面１１２から突出する。さらに、複数の第３突起部１２３は、表示部１００から離れるように枠体１１０の第３側面１１３から突出する。さらに、複数の第４突起部１２４は、表示部１００から離れるように枠体１１０の第４側面１１４から突出する。
【００１８】
複数の第１突起部１２１の各々の先端１２１ａは尖っている。また、複数の第２突起部１２２の各々の先端１２２ａは尖っている。さらに、複数の第３突起部１２３の各々の先端１２３ａは尖っている。さらに、複数の第４突起部１２４の各々の先端１２４ａは尖っている。
【００１９】
以上、図２を参照して説明したように、本実施形態によれば、複数の第１突起部１２１は、表示部１００から離れるように枠体１１０の第１側面１１１から突出する。従って、表示装置１０に衝撃が加えられている場合、第１突起部１２１は、破損したり、変形したり、潰れたり、傷ついたり、損傷したりする。その結果、第１突起部１２１の状態を目視することで、表示装置１０に通電することなく、表示装置１０に衝撃が加えられたか否かを確認できる。ひいては、表示装置１０の生産性が向上する。
【００２０】
また、本実施形態によれば、複数の第２突起部１２２は、表示部１００から離れるように枠体１１０の第２側面１１２から突出する。また、複数の第３突起部１２３は、表示部１００から離れるように枠体１１０の第３側面１１３から突出する。さらに、複数の第４突起部１２４は、表示部１００から離れるように枠体１１０の第４側面１１４から突出する。従って、枠体１１０の第２側面１１２側からの衝撃、枠体１１０の第３側面１１３側からの衝撃、及び／又は、枠体１１０の第４側面１１４側からの衝撃が表示装置１０に加えられている場合、第２突起部１２２、第３突起部１２３、及び／又は第４突起部１２４は、破損したり、変形したり、潰れたり、傷ついたり、損傷したりする。その結果、第２突起部１２２、第３突起部１２３、及び／又は第４突起部１２４の状態を目視することで、表示装置１０に通電することなく、表示装置１０に衝撃が加えられたか否かを確認できる。ひいては、表示装置１０の生産性がさらに向上する。
【００２１】
さらに、本実施形態によれば、複数の第１突起部１２１の各々の先端１２１ａは尖っている。従って、複数の第１突起部１２１の各々の先端１２１ａが尖っていない場合よりも、複数の第１突起部１２１の各々は破損したり、変形したり、潰れたり、傷ついたり、損傷したりしやすい。その結果、表示装置１０に衝撃が加えられたか否かの確認の精度が向上する。
【００２２】
さらに、本実施形態によれば、複数の第２突起部１２２の各々の先端１２２ａは尖っている。また、複数の第３突起部１２３の各々の先端１２３ａは尖っている。さらに、複数の第４突起部１２４の各々の先端１２４ａは尖っている。従って、複数の第２突起部１２２、複数の第３突起部１２３、及び／又は複数の第４突起部１２４の各々は破損したり、変形したり、潰れたり、傷ついたり、損傷したりしやすい。その結果、表示装置１０に衝撃が加えられたか否かの確認の精度がさらに向上する。
【００２３】
次に、図３を参照して、第１突起部１２１の形状について説明する。複数の第１突起部１２１の各々は円錐形状又は三角柱形状を有する。図３（ａ）は、三角柱形状を有する第１突起部１２１を示す。図３（ａ）に示すように、第１突起部１２１は、第１側面１１１の一方端から他方端まで延びる。ここで、第２突起部１２２は、第１突起部１２１と同様に、三角柱状に形成される。そして、第２突起部１２２は、第２側面１１２の一方端から他方端まで延びる。また、第３突起部１２３は、第１突起部１２１と同様に、三角柱状に形成される。そして、第３突起部１２３は、第３側面１１３の一方端から他方端まで延びる。さらに、第４突起部１２４は、第１突起部１２１と同様に、三角柱状に形成される。そして、第４突起部１２４は、第４側面１１４の一方端から他方端まで延びる。
【００２４】
図３（ｂ）は、円錐形状を有する第１突起部１２１を示す。図３（ｂ）に示すように、第１突起部１２１は、枠体１１０の第１側面１１１に千鳥状に配置されている。ここで、第２突起部１２２は、第１突起部１２１と同様に、枠体１１０の第２側面１１２に千鳥状に配置されている。また、第３突起部１２３は、枠体１１０の第３側面１１３に千鳥状に配置されている。さらに、第４突起部１２４は、枠体１１０の第４側面１１４に千鳥状に配置されている。
【００２５】
以上、図３を参照して説明したように、本実施形態によれば、複数の第１突起部１２１の各々は円錐形状又は三角柱形状を有する。従って、複数の第１突起部１２１の各々は破損したり、変形したり、潰れたり、傷ついたり、損傷したりしやすい。その結果、表示装置１０に衝撃が加えられたか否かの確認の精度が向上する。
【００２６】
また、本実施形態によれば、複数の第２突起部１２２、複数の第３突起部１２３、及び複数の第４突起部１２４の各々は円錐形状又は三角柱形状を有する。従って、複数の第２突起部１２２、複数の第３突起部１２３、及び複数の第４突起部１２４の各々は破損したり、変形したり、潰れたり、傷ついたり、損傷したりしやすい。その結果、表示装置１０に衝撃が加えられたか否かの確認の精度がさらに向上する。
【００２７】
次に、図２及び図４を参照して枠体１１０の底面１１５について説明する。枠体１１０は、底面１１５と、第５突起部１２５とをさらに有する。枠体１１０の底面１１５は、第１側面１１１、第２側面１１２、第３側面１１３及び第４側面１１４の各々に垂直である。また、底面１１５は、表示部１００に対向する。第５突起部１２５は、表示部１００から離れるように枠体１１０の底面１１５から突出する。
【００２８】
複数の第５突起部１２５の各々は円錐形状又は三角柱形状を有する。図４（ａ）は、三角柱形状を有する第５突起部１２５を示す。図４（ａ）に示すように、第４突起部１２４は、底面１１５の一方端から他方端まで延びる。図４（ｂ）は、円錐形状を有する第５突起部１２５を示す。図４（ｂ）に示すように、第５突起部１２５は、枠体１１０の底面１１５に千鳥状に配置されている。
【００２９】
以上、図４を参照して説明したように、本実施形態によれば、第５突起部１２５は、表示部１００から離れるように枠体１１０の底面１１５から突出する。従って、枠体１１０の底面１１５側からの衝撃が表示装置１０に加えられている場合、第５突起部１２５は、破損したり、変形したり、潰れたり、傷ついたり、損傷したりする。その結果、第５突起部１２５の状態を目視することで、表示装置１０に通電することなく、表示装置１０に衝撃が加えられたか否かを確認できる。ひいては、表示装置１０の生産性がさらに向上する。
【００３０】
以上、図１〜図４を参照して説明したように、本実施形態によれば、表示装置１０に衝撃が加えられている場合、第１突起部１２１、第２突起部１２２、第３突起部１２３、第４突起部１２４及び／又は第５突起部１２５は、破損したり、変形したり、潰れたり、傷ついたり、損傷したりする。その結果、第１突起部１２１、第２突起部１２２、第３突起部１２３、第４突起部１２４及び／又は第５突起部１２５の状態を目視することで、表示装置１０に通電することなく、表示装置１０に衝撃が加えられたか否かを確認できる。その結果、表示装置１０に通電する工程を省略することができ、表示装置１０の生産性が向上する。
【００３１】
（実施形態２）
図５を参照して、本発明の実施形態２に係る表示装置１０について説明する。実施形態２に係る表示装置１０は、隣り合う第１突起部１２１の間に充填剤１３０が充填されている点を除いて、実施形態１に係る表示装置１０と同様である。以下、実施形態２が実施形態１と異なる点を主に説明する。
【００３２】
図５は、実施形態２に係る表示装置１０を示す図である。図５に示すように、複数の第１突起部１２１のうち、隣り合う第１突起部１２１の間には、充填剤１３０が充填されている。具体的には、枠体１１０の周囲の凹凸を平坦にするように、隣り合う第１突起部１２１の間には、充填剤１３０が充填されている。より具体的には、表示装置１０が矩形形状を有するように、隣り合う第１突起部１２１の間には、充填剤１３０が充填されている。充填剤１３０は、弾性を有していてもよいし、剛性を有していてもよい。
【００３３】
また、複数の第２突起部１２２のうち、隣り合う第２突起部１２２の間には、充填剤１３０が充填されている。さらに、複数の第３突起部１２３のうち、隣り合う第３突起部１２３の間には、充填剤１３０が充填されている。さらに、複数の第４突起部１２４のうち、隣り合う第４突起部１２４の間には、充填剤１３０が充填されている。さらに、複数の第５突起部１２５（図４参照）のうち、隣り合う第５突起部１２５の間には、充填剤１３０が充填されている。
【００３４】
さらに、隣り合う第１突起部１２１と第２突起部１２２との間には、充填剤１３０が充填されている。さらに、隣り合う第２突起部１２２と第３突起部１２３との間には、充填剤１３０が充填されている。さらに、隣り合う第３突起部１２３と第４突起部１２４との間には、充填剤１３０が充填されている。さらに、隣り合う第４突起部１２４と第１突起部１２１との間には、充填剤１３０が充填されている。従って、本実施形態において、表示装置１０は、矩形形状を有する。
【００３５】
以上、図５を参照して説明したように、本実施形態によれば、隣り合う第１突起部１２１の間には、充填剤１３０が充填されている。従って、枠体１１０の第１側面１１１の凹凸が平坦になる。その結果、筐体３０の矩形形状を有する取り付け枠に対して枠体１１０を取り付けやすい。ひいては、表示装置１０の生産性がさらに向上する。
【００３６】
また、本実施形態によれば、隣り合う第２突起部１２２の間には、充填剤１３０が充填されており、隣り合う第３突起部１２３の間には、充填剤１３０が充填されており、隣り合う第４突起部１２４の間には、充填剤１３０が充填されている。従って、枠体１１０の第２側面１１２の凹凸が平坦になり、枠体１１０の第３側面１１３の凹凸が平坦になり、枠体１１０の第４側面１１４の凹凸が平坦になる。すなわち、枠体１１０の周囲の凹凸が平坦になる。その結果、筐体３０の矩形形状を有する取り付け枠に対して枠体１１０をさらに取り付けやすい。ひいては、表示装置１０の生産性がさらに向上する。
【００３７】
以上、図面（図１〜図５）を参照しながら本発明の実施形態について説明した。但し、本発明は、上記の実施形態に限られるものではなく、その要旨を逸脱しない範囲で種々の態様において実施することが可能である（例えば、下記に示す（１）及び（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００３８】
（１）図２を参照して説明したように、複数の第１突起部１２１の各々の先端１２１ａは尖っていた。ただし、複数の第１突起部１２１の各々の先端１２１ａが、外部からの衝撃によって変形する限り、複数の第１突起部１２１の各々の先端１２１ａは、例えば、尖った先端１２１ａが曲面状となった形状であってもよい。
【００３９】
（２）図２を参照して説明したように、枠体１１０は、第１側面１１１と、複数の第１突起部１２１とを有した。ただし、枠体１１０と第１側面１１１とは、一体成形されていてもよいし、枠体１１０と第１側面１１１とを別々の部材として設けてもよい。
【産業上の利用可能性】
【００４０】
本発明は、表示装置及び画像形成装置の分野に利用可能であり、産業上の利用可能性を有する。
【符号の説明】
【００４１】
１      画像形成装置
１０    表示装置
１００  表示部
１１０  枠体
１１１  第１側面
１１２  第２側面
１１３  第３側面
１１４  第４側面
１１５  底面
１２１  第１突起部
１２２  第２突起部
１２３  第３突起部
１２４  第４突起部
１２５  第５突起部
１３０  充填剤
２０    画像形成部
【図１】
2018180210.tif 000003
【図２】
2018180210.tif 000004
【図３】
2018180210.tif 000005
【図４】
2018180210.tif 000006
【図５】
2018180210.tif 000007